(57)【要約】【課題】入力可能文字総数より少ないキーを介して文字入力を行う機能と、該入力された文字を仮名漢字変換する機能と、を備えた携帯端末装置、およびその携帯端末装置での文字入力方法に関し、少ないキー入力操作により入力文字の修正を可能にすることを目的とする。【解決手段】文字種キーにより文字種を選択する機能と、順逆方向に選択可能な文字切替キーとテンキーとにより文字の母音と子音とを選択することにより、入力可能文字総数より少ないキーを介して文字入力を行う機能と、該入力された文字を仮名漢字変換する機能と、を備えた携帯端末装置１００であって、入力された文字毎の属性を確定時まで記憶しておく記憶手段１４０と、入力された文字の修正を行う際に、該修正を行う文字について前記記憶手段に記憶された文字の属性を基準にして、文字種・子音・母音の少なくとも一つについて該基準からの相対的な修正を行う制御手段１０１と、を有する。【選択図】      図１
2004157936.tif 000002
【特許請求の範囲】
【請求項１】
文字種キーにより文字種を選択する機能と、順逆方向に選択可能な文字切替キーとテンキーとにより文字の母音と子音とを選択することにより、入力可能文字総数より少ないキーを介して文字入力を行う機能と、該入力された文字を仮名漢字変換する機能と、を備えた携帯端末装置における文字入力方法であって、
入力された文字毎の属性（文字種、文字子音、文字母音）を記憶しておき、
入力された文字の修正を行う際に、該修正を行う文字について記憶された文字の属性を基準にして、文字種・子音・母音の少なくとも一つについて該基準からの相対的な修正を行う、
ことを特徴とする携帯端末装置文字入力方法。
【請求項２】
文字種キーにより文字種を選択する機能と、順逆方向に選択可能な文字切替キーとテンキーとにより文字の母音と子音とを選択することにより、入力可能文字総数より少ないキーを介して文字入力を行う機能と、該入力された文字を仮名漢字変換する機能と、を備えた携帯端末装置であって、
入力された文字毎の属性（文字種、文字子音、文字母音）を記憶しておく記憶手段と、
入力された文字の修正を行う際に、該修正を行う文字について前記記憶手段に記憶された文字の属性を基準にして、文字種・子音・母音の少なくとも一つについて該基準からの相対的な修正を行う制御手段と、
を有することを特徴とする携帯端末装置。
【請求項３】
文字種キーにより文字種を選択する機能と、順逆方向に選択可能な文字切替キーとテンキーとにより文字の母音と子音とを選択することにより、仮名漢字変換前の入力可能文字総数より少ないキーを介して文字入力を行う機能と、該入力された文字を仮名漢字変換する機能と、を備えた携帯端末装置における文字入力方法であって、
入力された文字毎の属性（文字種、文字子音、文字母音）を記憶しておくと共に、仮名漢字変換前の文字列を仮名漢字変換実行単位で仮名漢字変換後も記憶しておき、
仮名漢字変換後に仮名漢字変換前の文字列に戻した後に、該戻された文字列に含まれる文字の修正を行う際に、該修正を行う文字について記憶された文字の属性を基準にして、文字種・子音・母音の少なくとも一つについて該基準からの相対的な修正を行う、
ことを特徴とする携帯端末装置文字入力方法。
【請求項４】
文字種キーにより文字種を選択する機能と、順逆方向に選択可能な文字切替キーとテンキーとにより文字の母音と子音とを選択することにより、仮名漢字変換前の入力可能文字総数より少ないキーを介して文字入力を行う機能と、該入力された文字を仮名漢字変換する機能と、を備えた携帯端末装置であって、
入力された文字毎の属性（文字種、文字子音、文字母音）を記憶しておくと共に、仮名漢字変換前の文字列を仮名漢字変換実行単位で仮名漢字変換後も記憶しておく記憶手段と、
仮名漢字変換後に仮名漢字変換前の文字列に戻した後に、該戻された文字列に含まれる文字の修正を行う際に、該修正を行う文字について記憶された文字の属性を基準にして、文字種・子音・母音の少なくとも一つについて該基準からの相対的な修正を行う制御手段と、
を有することを特徴とする携帯端末装置。
【請求項５】
前記携帯端末装置が携帯電話機であることを特徴とする請求項２もしくは請求項４のいずれかに記載の携帯端末装置。
【発明の詳細な説明】
【０００１】
【発明が属する技術分野】
本発明は入力可能文字総数より少ないキーを介して文字入力を行う機能と、該入力された文字を仮名漢字変換する機能と、を備えた携帯端末装置、およびその携帯端末装置での文字入力方法に関する。
【０００２】
【従来の技術】
携帯電話機のような携帯端末装置では、キーを配置する面積が少ないため、限定された数のキーしか配置することができない。このため、一つのキーに複数の文字や機能を割り当てることが必要になる。この結果、一つの文字を入力するのに多くのキー操作が必要になってしまっていた。
【０００３】
携帯電話機を具体例にすると、一つのキーに一行の文字、例えば、「あ、い、う、え、お」の５文字を割り当て、キーの押下回数に応じて該当する文字を入力するようにしていた。これを、テンキー（数字キー：１２３４５６７８９０）のそれぞれに、あ行、か行、さ行、などと割り当てることで、「あ」〜「ん」の各文字の入力を行えるようにしている。
【０００４】
例えば、「あ、い、う、え、お」のあ行が割り当てられているキーについては、そのキーを１回押せば「あ」となり、２回押せば「い」となり、３回で「う」、４回で「え」、５回で「お」となる。このため、各種の文字を入力するには、１文字あたり平均で３回のキーの押下が必要となる。
【０００５】
以上のような入力方法が現在の時点で市販されている携帯電話機で一般的に使用されており、たとえば、以下の特許文献１にも記載されている。
【０００６】
なお、図８は、この種の入力方法における操作状態を示す説明図であり、破線に示す手の親指を用いて、テンキー（文字キー群）▲１▼から文字入力を行っている。また、文字種（ひらがな、カタカナ、アルファベットなど）の切り替えは、文字種キー▲２▼の繰り返し押下により行う。さらに、挿入モードと上書モードとの切換は挿入／上書キー▲３▼により行う。
【０００７】
【特許文献１】
特開２００２−１４９３１９号公報（第２頁）
【０００８】
【発明が解決しようとする課題】
従来の入力方法による携帯電話機において、既に入力し終えた単一文字を修正する場合には、カーソルを修正したい文字にあわせた上で、目的の文字が選択できるまでもう一度選択候補の初めからキープッシュを繰返し操作する必要があった。
【０００９】
この場合、「へじつうターミナル」と入力した時点で、「へ」の部分を本来は「ふ」と入力しようとしていたことに気づいた場合、カーソルを移動させた後に、文字種キー（図８▲２▼）で文字種をひらがなモードに戻し、さらに、は行のキー（図８▲１▼）を、「は」「ひ」「ふ」と押下する必要がある。
【００１０】
なお、以上の課題は、携帯電話機に限らず、入力可能文字総数より少ないキーを介して文字入力を行う機能と、該入力された文字を仮名漢字変換する機能と、を備えたＰＤＡなどの各種携帯端末装置に共通した問題である。
【００１１】
また、従来の入力方法において、文字を誤って入力した状態で仮名漢字変換を実行してしまった場合、変換候補の一つとしてひらがな状態にすることはできるが、そこから１文字を修正して再変換するようなことはできなかった。すなわち、誤って入力した単語をクリアして、再度、正しい単語の文字を入力し直す必要があった。
【００１２】
本発明は、上記の課題を解決するためになされたものであって、その目的は、入力可能文字総数より少ないキーを介して文字入力を行う際に、文字修正を少ないキー入力で行うことが可能な携帯端末装置文字入力方法および携帯端末装置を提供することにある。
【００１３】
【課題を解決するための手段】
すなわち、課題を解決する手段としての本発明は以下に説明するようなものである。
【００１４】
図１は本発明の携帯端末装置１００の原理的構成を示す原理説明図である。この図１において、１０１は携帯端末装置１００の各部を制御する制御手段、１１０は文字の入力がなされる入力手段、１２０は入力手段１１０のキー入力を検知してキーコードを発生するキー入力検知手段、１３０は入力された文字あるいは変換された文字が表示される表示手段、１４０は入力手段１１０のキー入力を記憶しておく記憶手段である。
【００１５】
なお、入力手段１１０は、表示手段上でカーソルを任意に移動させるカーソルキー１１３と、文字の子音がテンキーに割り当てられた文字キー群１１４と、文字種（ひらがな・カタカナ・英数字）の選択のための文字種キー１１５と、順逆方向に文字の母音を選択可能な文字切替キー１１６と、挿入モードと上書モードとの切換を行う挿入／上書キー１１７と、を備えて構成されている。
【００１６】
なお、文字切替キー１１６は、ロータリーエンコーダ、ダイヤル、シーソースイッチなどによって構成されていて、順逆方向に選択可能なように構成されていることが望ましい。また、文字種キー１１５も同様に構成されていることが望ましい。
【００１７】
（１）ここで、本発明の携帯端末装置１００は、文字種キー１１５により文字種を選択する機能と、文字キー群１１４と文字切替キー１１６とにより文字の母音と子音とを選択することにより、入力可能文字総数より少ないキーを介して文字入力を行う機能と、を備えて構成されている。
【００１８】
さらに、制御手段１０１の制御により、入力手段１１０から入力された文字毎の属性（文字種、文字子音、文字母音）を確定時まで記憶手段１４０に記憶しておく。
【００１９】
さらに、入力手段１１０から入力された文字の修正を行う際に、該修正を行う文字について、制御手段１０１は、記憶手段１４０に記憶された文字の属性（文字種、文字子音、文字母音）を基準にして、文字種・子音・母音の少なくとも一つについて該基準からの相対的な修正を行うように制御する。
【００２０】
従来の入力方法において、既に入力し終えた単一文字を修正する場合には、カーソルキー１１３によりカーソルを修正したい文字にあわせた上で、文字種を合わせた後に、目的の文字が選択できるまでもう一度選択候補の初めからキープッシュを繰返し操作する必要があった。
【００２１】
この場合、「へじつうターミナル」と入力した時点で、先頭の「へ」の部分を本来は「ふ」と入力しようとしていたことに気づいた場合、従来の修正手法によれば、カーソルを先頭部分まで移動させた後に、文字種キーで文字種をカタカナモードからひらがなモードに戻し、さらに、は行のキーを、「は」「ひ」「ふ」と押下する必要があった。
【００２２】
このような誤りの発生およびその修正について本願発明の発明者が鋭意研究を進めたところ、目的の文字の近辺の文字（子音は合っており、母音が前後にずれる等）を誤って入力してしまうことが多いことを、見いだした。そのため、従来のように、選択候補のはじめから選び直すのは無駄な操作となることも判明した。
【００２３】
そこで、この発明では、入力された文字毎の属性（文字種（ひらがな、カタカナ、英数字など）、文字子音（あ，か，さ，た，な，は，ま，や，ら，わ）、文字母音（あ，い，う，え，お））を確定まで記憶手段１４０に記憶しておく。
【００２４】
そして、制御手段１０１の制御により、入力された文字の修正を行う際に、該修正を行う文字について、制御手段１０１は、記憶手段１４０に記憶された文字の属性（文字種、文字子音、文字母音）を基準にして、文字種・子音・母音の少なくとも一つについて該基準からの相対的な修正を行うように制御する。
【００２５】
すなわち、使用者のカーソルキー１１３の操作によって表示手段１３０上のカーソルが「へじつうターミナル」の末尾から先頭の「へ」の部分に戻されると、制御手段１０１は、文字の属性（文字種（ひらがな）、文字子音（は）、文字母音（え））を基準にして、該基準（へ）からの相対的な修正を受け付けるように制御する。
【００２６】
したがって、文字切替キー１１６が操作者によって「−」側（逆方向側）に１クリック分操作されると、キー入力検知手段１２０から「−」ワンクリックのデータを受けた制御手段１０１は、「へ」を「ふ」に戻し、表示手段１３０にも「ふ」を表示する。なお、その後に操作者から仮名漢字変換の操作があれば、制御手段１０１は「ふじつうターミナル」を「富士通ターミナル」と漢字文に変換する。
【００２７】
このような誤りの修正によれば、子音は合っており、母音が前後にずれる等の目的の文字の近辺の文字の誤入力について、文字種の選択の操作が不要になり、さらに、「は」「ひ」「ふ」とその子音の先頭文字からの操作に比べてもキー操作が減少し、無駄な操作が激減する。この結果、文字入力において迅速な修正を行うことが可能になる。
【００２８】
この結果、入力可能文字総数より少ないキーを介して文字入力を行う際に、文字修正を少ないキー入力で行うことが可能な携帯端末装置文字入力方法および携帯端末装置を実現できる。
【００２９】
（２）また、本発明の携帯端末装置１００は、文字種キー１１５により文字種を選択する機能と、文字切替キー１１６と文字キー群１１４とにより文字の母音と子音とを選択することにより、仮名漢字変換前の入力可能文字総数より少ないキーを介して文字入力を行う機能と、該入力された文字を仮名漢字変換する機能と、を備えて構成されている。
【００３０】
また、制御手段１０１の制御により、入力手段１１０から入力された文字毎の属性（文字種、文字子音、文字母音）を確定時まで記憶手段１４０に記憶しておく機能を有している。
【００３１】
そして、制御手段１０１の制御により、仮名漢字変換前の文字列を仮名漢字変換実行単位で仮名漢字変換後も記憶手段１４０に記憶しておく機能を有している。さらに、制御手段１０１の制御により、仮名漢字変換後に仮名漢字変換前の文字列に戻した後に、該戻された文字列に含まれる文字の修正を行う際に、該修正を行う文字について記憶された文字の属性を基準にして、文字種・子音・母音の少なくとも一つについて該基準からの相対的な修正を行う機能を有している。
【００３２】
従来の入力方法において、文字を誤って入力した状態で仮名漢字変換を実行してしまった場合、変換候補の一つとしてひらがな状態にすることはできるが、そこから１文字を修正して再変換するようなことはできなかった。すなわち、誤って入力した単語をクリアして、再度、正しい単語の文字を入力し直す必要があった。
【００３３】
この場合、「いちれいべーす」と入力して仮名漢字変換して「一例ベース」と表示された時点で、入力３文字目の「れ」の部分を本来は「る」と入力しようとしていたことに気づいた場合、従来の修正手法によれば、カーソルを「一例」の語の先頭部分まで移動させた後に、「一例」の文字をクリア（削除）して、新たに「いちるい」と入力した後に仮名漢字変換を実行して「一塁」とする必要があった。
【００３４】
そこで、この発明では、、制御手段１０１の制御により、入力された文字毎の属性（文字種（ひらがな、カタカナ、英数字など）、文字子音（あ，か，さ，た，な，は，ま，や，ら，わ）、文字母音（あ，い，う，え，お））と、仮名漢字変換前の文字列（仮名漢字変換実行単位）とを、仮名漢字変換後も記憶手段１４０に記憶しておく。
【００３５】
そして、仮名漢字変換を実行した後に、表示手段１３０上のカーソルが「一例」の先頭の「一」の部分に戻されて、使用者の所定のキー操作（たとえば、文字種キーの押下など）があると、制御手段１０１は、まず、仮名漢字変換後の「一例」を仮名漢字変換前の「いちれい」に戻す。
【００３６】
さらに、操作者のカーソルキー１１３の操作によって「れ」の部分にカーソルが移動させられると、制御手段１０１は、文字の属性（文字種（ひらがな）、文字子音（ら）、文字母音（え））を基準にして、該基準（れ）からの相対的な修正を受け付けるように制御する。
【００３７】
したがって、文字切替キー１１６が操作者によって「−」側に１クリック分操作されると、キー入力検知手段１２０から「−」１クリックのデータを受けた制御手段１０１は、「れ」を「る」に戻し、表示手段１３０にも「る」を表示する。なお、その後に操作者から仮名漢字変換の操作があれば、制御手段１０１は「いちるい」を「一塁」と漢字文に変換する。
【００３８】
このような誤りの修正によれば、仮名漢字変換を実行した後であっても、目的の文字の近辺の文字の誤入力について、文字種の選択の操作が不要になり、さらに、「ら」「り」「る」とその子音の先頭文字からの操作に比べてもキー操作が減少し、無駄な操作が激減する。この結果、文字入力において迅速な修正を行うことが可能になる。
【００３９】
この結果、入力可能文字総数より少ないキーを介して文字入力を行う際に、文字修正を少ないキー入力で行うことが可能な携帯端末装置文字入力方法および携帯端末装置を実現できる。
【００４０】
（３）以上の携帯端末装置文字入力は、携帯電話機において使用されることが好ましい。
【００４１】
（４）以上の携帯端末装置文字入力は、携帯電話機以外のＰＤＡなどの携帯情報端末における文字入力において適用されることも好ましい。
【００４２】
【発明の実施の形態】
以下、図面を参照して、本発明の携帯端末装置文字入力方法および携帯端末装置の実施の形態例を詳細に説明する。なお、ここでは、携帯電話機に適用した携帯端末装置１００を具体例にして説明を行う。
【００４３】
図２は本実施の形態例の携帯端末装置１００の原理的構成を示す原理説明図である。
【００４４】
この図２において、１０１は携帯端末装置１００の各部を制御する制御手段、１１０は文字の入力がなされる入力手段、１２０は入力手段１１０のキー入力を検知してキーコードを発生するキー入力検知手段、１３０は入力された文字あるいは変換された文字が表示される表示手段、１４０は入力手段１１０のキー入力を記憶しておく記憶手段、１５０は携帯電話機として送受信を行うための無線回路部、１６０は送話を行うためのマイクロフォン、１７０は受話を行うためのスピーカ、１８０は電波の送受信を行うアンテナである。
【００４５】
なお、入力手段１１０は、電源オン／オフを行うための電源キー１１１と、通話を行う通話キー１１２と、表示手段上でカーソルを任意に移動させるカーソルキー１１３と、文字の子音がテンキーに割り当てられた文字キー群１１４と、文字種（ひらがな・カタカナ・英数字）の選択のための文字種キー１１５と、順逆方向に文字の母音を選択可能な文字切替キー１１６と、挿入モードと上書モードとの切換を行う挿入／上書キー１１７と、を備えて構成されている。
【００４６】
なお、文字種キー１１５は、図３▲２▼に示すように、ロータリーエンコーダ、ダイヤル、シーソースイッチなどによって構成されていて、順逆方向に選択可能なように構成されていることが望ましい。これにより、ひらがな、カタカナ、英数字などの文字種の選択を少ない操作で実行できる。
【００４７】
この場合、たとえば、順方向に選択を繰り返すことで、ひらがな、カタカナ、英数字、ひらがな、カタカナ、…のように繰り返して選択が可能である。また、この場合、たとえば、逆方向に選択を繰り返すことで、ひらがな、英数字、カタカナ、ひらがな、英数字、…のように逆方向にも繰り返して選択が可能である。
【００４８】
また、文字切替キー１１６は、図３▲４▼に示すように、ロータリーエンコーダ、ダイヤル、シーソースイッチなどによって構成されていて、順逆（＋／−）方向に選択可能なように構成されていることが望ましい。
【００４９】
これにより、順方向（＋方向）の操作を繰り返すことにより、各文字子音についての、母音部分を、あ、い、う、え、お、あ、い、…と繰り返して選択可能である。また、同様に、逆方向（−方向）の操作を繰り返すことにより、各文字子音についての、母音部分を、あ、お、え、う、い、あ、お、え、…と繰り返して選択することも可能である。
【００５０】
また、図３は各キーの配置の一例を示す外観構成図であり、文字種キー１１５は側面部に配置された例を示しており、右手で操作する場合には親指で文字種の選択が可能である。また、文字切替キー１１６は背面部に配置された例を示しており、右手で操作するばあいには人差し指などで操作することが可能である。
【００５１】
なお、文字種キー１１５と文字切替キー１１６との配置、使用するキースイッチの形式や形状、操作する手の様子などは、この図３の具体例に限定されるものではない。たとえば、各キーを機械的なキーではなく、液晶表示画面と合わせて構成されたタッチパネルとしてもよい。
【００５２】
また、図２における文字キー群１１４（図３におけるテンキー▲１▼）のキー配置と、文字種（ひらがな・カタカナ・英数字）の選択による入力文字のテーブル内容との関連は図４に示す通りになっている。このテーブル内容は、制御手段１０１あるいは記憶手段１４０のいずれかに格納されているものとする。
【００５３】
すなわち、本実施の形態例の携帯端末装置１００では、制御手段１０１の制御により、文字種キー１１５により選択された文字種（ひらがな・カタカナ・英数字のいずれか）について、文字キー群１１４で選択された文字子音（あ，か，さ，た，な，は，ま，や，ら，わ）、文字切替キー１１６で選択された文字母音（あ，い，う，え，お））とから入力すべき文字を選択するように構成されている（図４（ｂ），（ｃ）参照）。
【００５４】
なお、本実施の形態例の携帯端末装置１００において、英数字モードの場合には、子音・母音は存在しないため、制御手段１０１の制御により、文字キー群１１４で選択された文字範囲（Ａ〜ｃ，Ｄ〜ｆ，Ｇ〜ｉ，等）を、文字切替キー１１６で選択して入力すべき文字を決定するように構成されている（図４（ｄ）参照）。
【００５５】
なお、図５はある単語についての文字入力を実行した場合の一例であり、制御手段１０１の文字入力制御により、文字種キー１１５により選択された文字種（ひらがな・カタカナ・英数字のいずれか）によるカレント文字種と、文字キー群１１４で選択された文字子音によるカレント文字キーと、文字切替キー１１６で選択された文字母音によるカレント文字列とを、記憶手段１４０のテーブルに一旦格納する。そして、制御手段１０１の文字表示制御により、テーブルに格納してあるカレント文字種，カレント文字キー，カレント文字列によって決定される文字を表示手段１３０に表示するようにした様子を示している。
【００５６】
〈第１の実施の形態例の動作説明〉
ここで、図６のフローチャートを参照して、第１の実施の形態例の携帯端末装置文字入力方法および携帯端末装置の実施の形態例の動作を説明する。なお、この図６のフローチャートは、文字入力の制御に関するフローチャートであり、全体の各種制御の中で一定時間毎にコールされるサブルーチンなどに該当する。
【００５７】
携帯端末装置１００の制御手段１０１は、文字入力に先立ち記憶手段１４０のカレント文字モード，カレント列番号，挿入／上書モードに初期値を格納する（図６Ｓ１）。
【００５８】
ここで、入力手段１１０の挿入／上書キー１１７が押下される（図６Ｓ２で「挿入／上書」）と、キー入力検知手段１２０がキー入力を検知し（図６Ｓ３）、検知結果を制御手段１０１に伝達する。
【００５９】
ここで、制御手段１０１は、現在実行中の挿入／上書モードと、挿入／上書キーの入力とに応じて、挿入モードから上書モードへ、あるいは、上書モードから挿入モードへと切替を実行する（図６Ｓ４）。
【００６０】
また、入力手段１１０のカーソルキー１１３が押下される（図６Ｓ２で「カーソル」）と、キー入力検知手段１２０がキー入力（方向と入力数）を検知し（図６Ｓ５）、検知結果を制御手段１０１に伝達する。ここで、制御手段１０１は、カーソルキー１１３の入力に応じて現在表示中のカーソルの位置を変更する（図６Ｓ６）。
【００６１】
また、入力手段１１０の文字種キー１１５が押下される（図６Ｓ２で「文字種」）と、キー入力検知手段１２０がキー入力を検知し（図６Ｓ７）、検知結果を制御手段１０１に伝達する。ここで、制御手段１０１は、文字種キー１１５の入力方向および入力数に応じて、カレント文字モード（現在実行中の文字種（ひらがな、カタカナ、英数字））に反映させる（図６Ｓ８）。
【００６２】
また、文字キー群１１４のいずれかが押下される（図６Ｓ２で「文字キー」）と、キー入力検知手段１２０がキー入力を検知する（図６Ｓ９）。ここで、制御手段１０１は、文字キー群１１４の入力キーに応じたカレント文字キー番号（文字の子音に対応するキーの番号）に反映させる（図６Ｓ１０）。
【００６３】
また、入力手段１１０の文字切替キー１１６が押下される（図６Ｓ２で「文字切替」）と、キー入力検知手段１２０がキー入力を検知し（図６Ｓ１１）、検知結果を制御手段１０１に伝達する。ここで、制御手段１０１は、文字切替キー１１６の入力方向および入力数に応じた増減分を、カレント列番号（文字の母音に対応する番号）に対して加算あるいは減算して反映させる（図６Ｓ１２）。
【００６４】
ここで、文字キー群１１４が入力処理中であることがキー入力検知手段１２０によって検知される（図６Ｓ１３でＹ）と、制御手段１０１の文字表示制御により、表示手段１３０上の文字入力位置を１文字分移動させて（図６Ｓ１４）、現在のカレント文字モード，カレント文字キー番号，カレント列番号，を記憶手段１４０の入力履歴テーブルに格納する（図６Ｓ１５）。
【００６５】
ここで、文字キー群１１４が入力処理中でない場合（図６Ｓ１３でＮ）、制御手段１０１の文字表示制御により、上書モードであれば（図６Ｓ１６で「上書モード」）カレント列番号を初期値の１に戻し（図６Ｓ１７）する。一方、挿入モードであれば（図６Ｓ１６で「上書モード」）、現在のカーソル位置の文字についてのカレント文字種とカレント列番号とを、記憶手段１４０内の入力履歴テーブルから読み出す（図６Ｓ１８）。
【００６６】
そして、制御手段１０１は、記憶手段１４０からキーマップテーブル、文字モードリストを読み込む。さらに、カレント文字モード、カレント文字キー番号、カレント列番号より、入力文字候補を検索する（図６Ｓ１９）。さらに、制御手段１０１は、検索された入力文字候補を、表示手段１３０のカーソル位置に表示する（図６Ｓ２０）。
【００６７】
ここで具体例を挙げて、本実施の形態例と従来例との比較説明を行う。ここでは、「ふじつうターミナル」と入力しようとしていて、「へじつうターミナ」と入力した時点で、先頭の「へ」の部分を本来は「ふ」と入力しようとしていたことに気づいた場合を想定する。
【００６８】
従来の修正手法によれば、
・カーソルを末尾から先頭部分まで移動させる（操作▲１▼）、
・文字種キーで文字種をカタカナモードから英数字モードにする（操作▲２▼）、
・文字種キーで文字種を英数字モードからひらがなモードにする（操作▲３▼）、
・は行の文字キーを押す「は」→「ひ」（操作▲４▼）、
・は行の文字キーを押す「ひ」→「ふ」（操作▲５▼）、
・は行の文字キーを押す「ふ」→「へ」（操作▲６▼）、
のように、合計で６操作が必要があった。
【００６９】
そこで、この実施の形態例では、入力された文字毎の属性（文字種（ひらがな、カタカナ、英数字など）、文字子音（あ，か，さ，た，な，は，ま，や，ら，わ）、文字母音（あ，い，う，え，お））を変換あるいは入力の確定まで記憶手段１４０に記憶しておく。
【００７０】
そして、制御手段１０１の制御により、入力された文字の修正を行う際に、該修正を行う文字について、制御手段１０１は、記憶手段１４０に記憶された文字の属性（文字種、文字子音、文字母音）を基準にして、文字種・文字キー番号（子音）・文字列番号（母音）について該基準からの相対的な修正を行うように制御する。
【００７１】
すなわち、本実施の形態例では、
・カーソルを末尾から先頭「へ」部分まで移動させる（操作（１））、
制御手段１０１の制御によって入力位置における文字種が当初のひらがなに戻る（操作不要）、
制御手段１０１の制御によって入力位置における「へ」（文字キー番号：は、文字列番号：４）が修正の基準位置となる（操作不要）、
・文字切替キー１１６を−方向に１つ操作する「へ」→「ふ」（操作（２））、
のように、合計で２ステップで済むようになる。
【００７２】
したがって、本実施の形態例によれば、文字切替キー１１６が操作者によって「−」側（逆方向側）に１クリック分操作されると、キー入力検知手段１２０から「−」ワンクリックのデータを受けた制御手段１０１は、「へ」を「ふ」に戻し、表示手段１３０にも「ふ」を表示する。なお、その後に操作者から仮名漢字変換の操作があれば、制御手段１０１は「ふじつうターミナル」を「富士通ターミナル」と漢字文に変換する。
【００７３】
このような誤りの修正によれば、子音は合っており、母音が前後にずれる等の目的の文字の近辺の文字の誤入力について、文字種の選択の操作が不要になり、文字キーによる子音の選択も不要になり、さらに、「は」「ひ」「ふ」とその子音の先頭文字からの操作に比べてもキー操作が減少し、無駄な操作が激減する。この結果、文字入力において迅速な修正を行うことが可能になる。
【００７４】
この結果、入力可能文字総数より少ないキーを介して文字入力を行う際に、文字修正を少ないキー入力で行うことが可能な携帯端末装置文字入力方法および携帯端末装置を実現できる。
【００７５】
なお、この第１の実施の形態例では、文字切替キー１１６による文字母音部分の修正であったが、文字種キーによるひらがなからカタカナへの修正、また、文字キー群１１４による文字子音部分の修正、あるいは、これらの組み合わせの修正であっても、従来より少ない入力で修正を完了することができる。
【００７６】
〈第２の実施の形態例の動作説明〉
つぎに、図７の説明図を参照して、第２の実施の形態例の携帯端末装置文字入力方法および携帯端末装置の実施の形態例の動作を説明する。
【００７７】
この実施の形態例では、携帯端末装置１００は、制御手段１０１の制御により、文字種キー１１５により文字種を選択する機能と、文字切替キー１１６と文字キー群１１４とにより文字の母音と子音とを選択することにより、仮名漢字変換前の入力可能文字総数より少ないキーを介して文字入力を行う機能の他に、該入力された文字を仮名漢字変換する機能を備えて構成されている。
【００７８】
また、制御手段１０１の制御により、入力手段１１０から入力された文字毎の属性（文字種、文字子音、文字母音）を確定時まで記憶手段１４０に記憶しておく機能を有している。そして、制御手段１０１の制御により、仮名漢字変換前の文字列を仮名漢字変換実行単位で仮名漢字変換後も記憶手段１４０に記憶しておく機能を有している。さらに、制御手段１０１の制御により、仮名漢字変換後に仮名漢字変換前の文字列に戻した後に、該戻された文字列に含まれる文字の修正を行う際に、該修正を行う文字について記憶された文字の属性を基準にして、文字種・子音・母音の少なくとも一つについて該基準からの相対的な修正を行う機能を有している。
【００７９】
ここでは、図７に携帯端末装置１００の表示手段１３０の表示例を示している。この場合、「いちれいべーす」と入力して仮名漢字変換して「一例ベース」と表示された時点で、入力３文字目の「れ」の部分を本来は「る」と入力しようとしていたことに気づいた場合（図７（ａ））を想定して説明する。この時点では、カーソルは「ス」の後、次の文字の入力待ちの状態で表示されている。
【００８０】
従来の修正手法によれば、カーソルを「一例」の語の先頭部分まで移動させた後に、「一例」の２文字をクリア（削除）して、新たに「いちるい」と入力した後に仮名漢字変換を実行して「一塁」とする必要があった。
【００８１】
それに対し、この実施の形態例の携帯端末装置１００では、、制御手段１０１の制御により、入力された文字毎の属性（文字種（ひらがな、カタカナ、英数字など）、文字キー番号（文字子音）、文字列番号（文字母音）と、仮名漢字変換前の文字列（仮名漢字変換実行単位）とを、仮名漢字変換後も記憶手段１４０に記憶している。
【００８２】
そして、仮名漢字変換を実行した後に、カーソルキー１１３の操作によって表示手段１３０上のカーソルが「一例」の先頭の「一」の部分に戻された状態（図７（ｂ））で、予め定められた所定のキー操作（たとえば、文字種キーの押下など）があると、制御手段１０１は、まず、仮名漢字変換後の「一例」を仮名漢字変換前の「いちれい」に戻す（図７（ｃ））。
【００８３】
なお、ここでは、制御手段１０１が記憶手段１４０を参照することで、仮名漢字変換前の文字列（仮名漢字変換実行単位）を呼び出し、未変換状態のひらがなとして、表示手段１３０に表示している。すなわち、従来の仮名漢字変換によるひらがなへの変換・確定とは異なった状態になっている。
【００８４】
さらに、操作者のカーソルキー１１３の操作によって「れ」の部分にカーソルが移動させられる（図７（ｄ））と、制御手段１０１は、文字の属性（文字種（ひらがな）、文字子音（ら）、文字母音（え））を基準にして、該基準（れ）からの相対的な修正を受け付けるように制御する。
【００８５】
ここで、文字切替キー１１６が操作者によって「−」側に１クリック分操作されると、キー入力検知手段１２０から「−」１クリックのデータを受けた制御手段１０１は、「れ」を「る」に戻し、表示手段１３０にも「る」を表示する（図７（ｅ））。
【００８６】
なお、その後に操作者から仮名漢字変換の操作が入力手段１１０になされれば、制御手段１０１は、「いちるい」の部分を「一塁」と漢字文に変換し、変換状態を表示手段１３０にも表示する（図７（ｆ））。
【００８７】
このような誤りの修正によれば、仮名漢字変換を実行した後であっても、目的の文字の近辺の文字の誤入力について、文字種の選択の操作が不要になる。また、変換後の漢字を変換前の状態に戻せたとしても、文字入力が従来の手法であると、「ら」「り」「る」とその子音の先頭文字からの操作が必要になるが、本実施の形態例ではそのようなものに比べてもキー操作が減少し、無駄な操作が激減する。この結果、文字入力において迅速な修正を行うことが可能になる。
【００８８】
この結果、入力可能文字総数より少ないキーを介して文字入力を行う際に、文字修正を少ないキー入力で行うことが可能な携帯端末装置文字入力方法および携帯端末装置を実現できる。
【００８９】
なお、この第２の実施の形態例では、文字切替キー１１６による文字母音部分の修正であったが、文字種キーによるひらがなからカタカナへの修正、また、文字キー群１１４による文字子音部分の修正、あるいは、これらの組み合わせの修正であっても、従来より少ない入力で修正を完了することができる。
【００９０】
〈その他の実施の形態例〉
なお、以上の第１の実施の形態例と第２の実施の形態例とは、携帯端末装置１００として携帯電話機を想定して構成及び動作説明を行ってきたが、これに限定されるものではない。たとえば、ＰＤＡ（Ｐｅｒｓｏｎａｌ  Ｄｉｇｉｔａｌ  Ａｓｓｉｓｔａｎｔ：携帯情報端末）や小型ゲーム機などの各種携帯端末装置などにも適用することができる。また、テレビ受像機に表示を行うゲーム機などの表示画面で文字入力を行う場合に適用することも可能である。
【００９１】
（付記１）文字種キーにより文字種を選択する機能と、順逆方向に選択可能な文字切替キーとテンキーとにより文字の母音と子音とを選択することにより、入力可能文字総数より少ないキーを介して文字入力を行う機能と、該入力された文字を仮名漢字変換する機能と、を備えた携帯端末装置における文字入力方法であって、入力された文字毎の属性（文字種、文字子音、文字母音）を確定時まで記憶しておき、入力された文字の修正を行う際に、該修正を行う文字について記憶された文字の属性を基準にして、文字種・子音・母音の少なくとも一つについて該基準からの相対的な修正を行う、ことを特徴とする携帯端末装置文字入力方法。
【００９２】
（付記２）文字種キーにより文字種を選択する機能と、順逆方向に選択可能な文字切替キーとテンキーとにより文字の母音と子音とを選択することにより、入力可能文字総数より少ないキーを介して文字入力を行う機能と、該入力された文字を仮名漢字変換する機能と、を備えた携帯端末装置であって、入力された文字毎の属性（文字種、文字子音、文字母音）を確定時まで記憶しておく記憶手段と、入力された文字の修正を行う際に、該修正を行う文字について前記記憶手段に記憶された文字の属性を基準にして、文字種・子音・母音の少なくとも一つについて該基準からの相対的な修正を行う制御手段と、を有することを特徴とする携帯端末装置。
【００９３】
（付記３）文字種キーにより文字種を選択する機能と、順逆方向に選択可能な文字切替キーとテンキーとにより文字の母音と子音とを選択することにより、仮名漢字変換前の入力可能文字総数より少ないキーを介して文字入力を行う機能と、該入力された文字を仮名漢字変換する機能と、を備えた携帯端末装置における文字入力方法であって、入力された文字毎の属性（文字種、文字子音、文字母音）を確定時まで記憶しておくと共に、仮名漢字変換前の文字列を仮名漢字変換実行単位で仮名漢字変換後も記憶しておき、仮名漢字変換後に仮名漢字変換前の文字列に戻した後に、該戻された文字列に含まれる文字の修正を行う際に、該修正を行う文字について記憶された文字の属性を基準にして、文字種・子音・母音の少なくとも一つについて該基準からの相対的な修正を行う、ことを特徴とする携帯端末装置文字入力方法。
【００９４】
（付記４）文字種キーにより文字種を選択する機能と、順逆方向に選択可能な文字切替キーとテンキーとにより文字の母音と子音とを選択することにより、仮名漢字変換前の入力可能文字総数より少ないキーを介して文字入力を行う機能と、該入力された文字を仮名漢字変換する機能と、を備えた携帯端末装置であって、入力された文字毎の属性（文字種、文字子音、文字母音）を確定時まで記憶しておくと共に、仮名漢字変換前の文字列を仮名漢字変換実行単位で仮名漢字変換後も記憶しておく記憶手段と、仮名漢字変換後に仮名漢字変換前の文字列に戻した後に、該戻された文字列に含まれる文字の修正を行う際に、該修正を行う文字について記憶された文字の属性を基準にして、文字種・子音・母音の少なくとも一つについて該基準からの相対的な修正を行う制御手段と、を有することを特徴とする携帯端末装置。
【００９５】
（付記５）携帯電話機における文字入力に適用される、ことを特徴とする付記１もしくは付記３のいずれかに記載の携帯端末装置文字入力方法。
【００９６】
（付記６）携帯端末装置が携帯電話機である、ことを特徴とする付記２もしくは付記４のいずれかに記載の携帯端末装置。
【００９７】
（付記７）携帯情報端末における文字入力に適用される、ことを特徴とする付記１もしくは付記３のいずれかに記載の携帯端末装置文字入力方法。
【００９８】
（付記８）携帯端末装置が携帯情報端末である、ことを特徴とする付記２もしくは付記４のいずれかに記載の携帯端末装置。
【００９９】
【発明の効果】
以上詳細に説明したように、本発明では、以下のような効果が得られる。
【０１００】
（１）第１の発明では、目的の文字の近辺の文字の誤入力について、文字種の選択の操作が不要になり、従来のような子音の先頭文字からの操作に比べてもキー操作が減少し、無駄な操作が激減するため、文字入力において迅速な修正を行うことが可能になる。この結果、入力可能文字総数より少ないキーを介して文字入力を行う際に、文字修正を少ないキー入力で行うことが可能な携帯端末装置文字入力方法および携帯端末装置を実現できる。
【０１０１】
（２）第２の発明では、仮名漢字変換を実行した後であっても、目的の文字の近辺の文字の誤入力について、文字種の選択の操作が不要になり、従来のようなの子音の先頭文字からの操作に比べてもキー操作が減少し、無駄な操作が激減するため、文字入力において迅速な修正を行うことが可能になる。この結果、入力可能文字総数より少ないキーを介して文字入力を行う際に、文字修正を少ないキー入力で行うことが可能な携帯端末装置文字入力方法および携帯端末装置を実現できる。
【図面の簡単な説明】
【図１】本発明の携帯端末装置の電気的構成を示す機能ブロック図（原理図）である。
【図２】本発明の一実施の形態例の携帯端末装置の電気的構成を示す機能ブロック図である。
【図３】本発明の一実施の形態例の携帯端末装置の構成と操作状態とを示す説明図である。
【図４】本発明の一実施の形態例の各入力モードにおけるテーブル内容を示す説明図である。
【図５】本発明の一実施の形態例の動作状態における文字入力の様子を示す説明図である。
【図６】本発明の一実施の形態例の動作状態を説明するフローチャートである。
【図７】本発明の一実施の形態例の動作状態における画面表示の一例を示す説明図である。
【図８】一般的な装置の外観構成を示す構成図である。
【符号の説明】
１００  携帯端末装置
１０１  制御手段
１１０  入力手段
１１３  カーソルキー
１１４  文字キー群
１１５  文字種キー
１１６  文字切替キー
１１７  挿入／上書キー
１３０  表示手段
１４０  記憶手段
【図１】
2004157936.tif 000003
【図２】
2004157936.tif 000004
【図３】
2004157936.tif 000005
【図４】
2004157936.tif 000006
【図５】
2004157936.tif 000007
【図６】
2004157936.tif 000008
【図７】
2004157936.tif 000009
【図８】
2004157936.tif 000010